(57)【特許請求の範囲】
【請求項１】
顕微鏡本体に着脱可能な取付け部を有するレボルバ本体部と、
前記レボルバ本体部に回転可能に支持され、複数の対物レンズを保持する対物レンズ保持部材と、
前記レボルバ本体部に一体的に設けられる筐体、及び前記筐体内に配置された照明光学系あるいは光検出光学系を有する光学装置とから構成され、
前記顕微鏡本体の観察光路が通る光軸上に、前記レボルバ本体部と前記対物レンズ保持部材との間に所定の空間が形成され、
前記所定の空間に、観察時の前記対物レンズを経由して観察試料に光を照射あるいは前記観察試料からの光を検出する前記光学装置の前記光学系の少なくとも一部の光学系を配置すると共に、前記所定の空間で前記一部の光学系が前記観察光路内の位置と光路外の位置との間で移動できることを特徴とする光学装置と一体化された顕微鏡用レボルバ。
【請求項２】
請求項１に記載の光学装置と一体化された顕微鏡用レボルバにおいて、
前記光学装置は、外部のレーザー光源から光ファイバーを介して照明光を導入するための光ファイバー接続部を有することを特徴とする光学装置と一体化された顕微鏡用レボルバ。
【請求項３】
請求項２に記載の光学装置と一体化された顕微鏡用レボルバにおいて、
前記光学装置は、前記光軸方向に伸びた前記所定の空間を規定する前記光軸に直交する下部規定底面からはみださないことを特徴とする光学装置と一体化された顕微鏡用レボルバ。
【請求項４】
請求項１〜３のいずれか１項に記載の光学装置と一体化された顕微鏡用レボルバにおいて、
前記一部の光学系は、ダイクロイックミラー及び前記ダイクロイックミラーを保持する部材から構成されることを特徴とする光学装置と一体化された顕微鏡用レボルバ。
【請求項５】
請求項１〜４のいずれか１項に記載の光学装置と一体化された顕微鏡用レボルバにおいて、
前記光学装置は、照明装置あるいは焦点検出装置であることを特徴とする光学装置と一体化された顕微鏡用レボルバ。
【請求項６】
請求項５に記載の光学装置と一体化された顕微鏡用レボルバにおいて、
前記照明装置は、ケージド試薬開裂用照明装置、あるいはレーザーマニピュレーション用光学系、あるいはコンフォーカル顕微鏡を形成する共焦点光学系であることを特徴とする光学装置と一体化された顕微鏡用レボルバ。
【請求項７】
顕微鏡本体に着脱可能な取付け部を有するレボルバ本体部、及び前記レボルバ本体部に回転可能に支持され、複数の対物レンズを保持する対物レンズ保持部材から構成され、前記対物レンズの観察光路が通る光軸上で、前記レボルバ本体部と前記対物レンズ保持部材との間に所定の空間が形成される顕微鏡用レボルバと、
前記レボルバ本体部に一体的に設けられる筐体、及び前記筐体内に配置された照明光学系あるいは光検出光学系を有する光学装置とを備え、
前記顕微鏡用レボルバの所定の空間に、観察時の前記対物レンズを経由して観察試料に光を照射あるいは前記観察試料からの光を検出する前記光学装置の前記光学系の少なくとも一部の光学系を配置すると共に、前記所定の空間で前記一部の光学系が前記観察光路内の位置と光路外の位置との間で移動できることを特徴とする顕微鏡。
【請求項８】
請求項７に記載の顕微鏡において、
前記光学装置は、前記光軸方向に伸びた前記所定の空間を規定する前記光軸に直交する下部規定底面からはみださないように構成され、
前記光学装置の下に、落射蛍光装置をさらに備えることを特徴とする顕微鏡。
【発明の詳細な説明】
【０００１】
【発明の属する技術分野】
本発明は、顕微鏡用レボルバおよび顕微鏡に関する。
【０００２】
【従来の技術】
複数の対物レンズが取り付けられ回転により任意の対物レンズを選択することが可能なレボルバを有する顕微鏡が知られている。
【０００３】
また、各種照明装置を複数利用した顕微鏡観察が知られている。例えば、ケージド試薬を使用した顕微鏡観察がある。ケージド試薬とは、通常は不活性な状態であるが強い紫外光が照射されると照射された部分のみ開裂が生じ試薬が活性化されるものである。このケージド試薬を、観察対象である生物試料に施し、観察試料のうち観察したい特定の部位にのみ強い紫外光を照射してケージド試薬を開裂させ活性化させる。この状態で、落射蛍光装置で観察試料に特定の光を照射し生物試料が蛍光する状態を顕微鏡観察する。
【０００４】
上記のようにケージド試薬を使用した顕微鏡観察では、ケージド試薬を開裂・活性化させるための強紫外光の落射照明装置および観察試料を励起させて蛍光観察するための落射蛍光装置の２種類の照明装置が必要となる。従って、落射蛍光装置を顕微鏡鏡基に備えた顕微鏡では、さらにケージド試薬開裂用の落射照明装置を光軸方向に重ねて付加する必要がある。
【０００５】
また、試料の観察をテレビカメラで行うために、顕微鏡の鏡筒の上部にＣＣＤカメラ等の撮像装置を設けることもある。さらに高級な顕微鏡においては、オートフォーカス機能として焦点検出装置を備えたものもある。この焦点検出装置は、ユニット化されて顕微鏡に着脱できるタイプのものや、顕微鏡本体に内蔵されているタイプのものがある。焦点検出装置は、例えば、特開平４−２６００１５号公報で開示された、前焦点位置、適正焦点位置、およ後焦点位置にそれぞれ配置された３つの撮像素子を備えたものや、米国特許第３７２１８２７号で開示された、光路の半分を光照射用、残りの半分を受光用とし、二分割センサによって試料からの光を検出するものがある。
【０００６】
【発明が解決しようとする課題】
上記のように、一般に顕微鏡鏡基に備えられた一つの照明装置以外に他の照明装置をさらに備える必要がある場合、付加する照明装置のためのスペースが新たに必要となり、正立型顕微鏡においてはアイポイントの位置が高くなり本来の姿勢位置が変化して操作性が悪くなるという問題が生じる。倒立型顕微鏡においてはステージの高さが高くなり同様に操作性が悪くなるという問題が生じ、ステージの高さが変化するとマイクロマニピュレータなどの周辺機器との寸法の互換性が損なわれるという問題も生じる。
【０００７】
また、顕微鏡鏡基に備えられた照明装置の光路に自己の光路と他の照明装置からの光路とを切り換えることが可能な切換機構を設けたものもあるが、装置が複雑になり高価になるという問題が生じる。さらには、撮像装置や焦点検出装置等の光検出装置を顕微鏡に備える場合、そのためのスペースが必要となり、顕微鏡が大型化してしまうという問題が生じる。
【０００８】
本発明は、レボルバのスペースを有効に利用した光学装置と一体化された顕微鏡用レボルバおよび顕微鏡を提供する。
【０００９】
【課題を解決するための手段】
請求項１の発明は、光学装置と一体化された顕微鏡用レボルバに適用され、顕微鏡本体に着脱可能な取付け部を有するレボルバ本体部と、レボルバ本体部に回転可能に支持され、複数の対物レンズを保持する対物レンズ保持部材と、レボルバ本体部に一体的に設けられる筐体、及び筐体内に配置された照明光学系あるいは光検出光学系を有する光学装置とから構成され、顕微鏡本体の観察光路が通る光軸上に、レボルバ本体部と対物レンズ保持部材との間に所定の空間が形成され、所定の空間に、観察時の対物レンズを経由して観察試料に光を照射あるいは観察試料からの光を検出する光学装置の光学系の少なくとも一部の光学系を配置すると共に、所定の空間で一部の光学系が観察光路内の位置と光路外の位置との間で移動できることを特徴とするものである。
請求項２の発明は、請求項１に記載の光学装置と一体化された顕微鏡用レボルバにおいて、光学装置は、外部のレーザー光源から光ファイバーを介して照明光を導入するための光ファイバー接続部を有することを特徴とするものである。
請求項３の発明は、請求項２に記載の光学装置と一体化された顕微鏡用レボルバにおいて、光学装置は、光軸方向に伸びた所定の空間を規定する光軸に直交する下部規定底面からはみださないことを特徴とするものである。
請求項４の発明は、請求項１〜３のいずれか１項に記載の光学装置と一体化された顕微鏡用レボルバにおいて、一部の光学系は、ダイクロイックミラー及びダイクロイックミラーを保持する部材から構成されることを特徴とするものである。
請求項５の発明は、請求項１〜４のいずれか１項に記載の光学装置と一体化された顕微鏡用レボルバにおいて、光学装置は、照明装置あるいは焦点検出装置であることを特徴とするものである。
請求項６の発明は、請求項５に記載の光学装置と一体化された顕微鏡用レボルバにおいて、照明装置は、ケージド試薬開裂用照明装置、あるいはレーザーマニピュレーション用光学系、あるいはコンフォーカル顕微鏡を形成する共焦点光学系であることを特徴とするものである。
【００１０】
請求項７の発明は、顕微鏡に適用され、顕微鏡本体に着脱可能な取付け部を有するレボルバ本体部、及びレボルバ本体部に回転可能に支持され、複数の対物レンズを保持する対物レンズ保持部材から構成され、対物レンズの観察光路が通る光軸上で、レボルバ本体部と対物レンズ保持部材との間に所定の空間が形成される顕微鏡用レボルバと、レボルバ本体部に一体的に設けられる筐体、及び筐体内に配置された照明光学系あるいは光検出光学系を有する光学装置とを備え、顕微鏡用レボルバの所定の空間に、観察時の対物レンズを経由して観察試料に光を照射あるいは観察試料からの光を検出する光学装置の光学系の少なくとも一部の光学系を配置すると共に、所定の空間で一部の光学系が観察光路内の位置と光路外の位置との間で移動できることを特徴とするものである。
請求項８の発明は、請求項７に記載の顕微鏡において、光学装置は、光軸方向に伸びた所定の空間を規定する光軸に直交する下部規定底面からはみださないように構成され、光学装置の下に、落射蛍光装置をさらに備えることを特徴とするものである。
【００１１】
【発明の実施の形態】
−第１の実施の形態−
図１は、本発明に係る顕微鏡用レボルバ（以下単にレボルバと言う）１の縦断面図を示す。図２は、図１のレボルバ１を倒立型顕微鏡２に取り付け、倒立型顕微鏡２の全体を側面から見た概略側面図である。
【００１２】
図２において、３は対物レンズでありレボルバ１に複数個取り付けることが可能である。４は接眼レンズ、５は顕微鏡本体を構成する顕微鏡鏡基、６は顕微鏡鏡基５に取り付けられた落射蛍光装置である。７はケージド試薬開裂用照明装置１０の光学系、８はキセノンランプあるいは水銀ランプで構成される光源、９は光源８からの紫外光を光学系７に導く光ファイバーケーブルである。光学系７と光源８と光ファイバーケーブル９とでケージド試薬開裂用照明装置１０を構成する。１１は観察試料１２を搭載するステージである。以上のように、第１の実施の形態の顕微鏡では、ケージド試薬を使用した顕微鏡観察のため、ケージド試薬開裂用照明装置１０と観察試料を蛍光観察するための落射蛍光装置６の二つの照明装置を備える。ケージド試薬を使用した顕微鏡観察については、従来の技術の項で説明をしたのでここではその説明を省略する。
【００１３】
次に、図１によりレボルバ１を詳細に説明する。２１はレボルバ１を顕微鏡本体に取り付けるためのアリであり、丸アリあるいは角アリで形成される。アリ構造を取ることによりレボルバ１を顕微鏡本体に対し容易に着脱することができる。２２は対物レンズ３を取り付ける穴２３を複数有し、回転軸２４を中心に回転する対物レンズ保持部材である。保持部材２２を回転させることにより複数の対物レンズから観察に使用する観察用対物レンズを選択する。回転軸２４は、観察用対物レンズ３の光軸（以下観察系光軸と言う）２６に対して所定の角度傾いているので、その回転面２５は観察系光軸２６と直交する面に対し所定の角度を有して傾斜している。回転面２５が所定の角度で傾斜することにより、保持部材２２の対物レンズ３を保持する面の裏面側に空間２７が生じる。この空間２７を利用して、ケージド試薬開裂用照明装置の一部が配置される。空間２７の詳細については後述する。３７は保持部材２２を支持しかつ回転軸２４の角度を規定する支持部であり、支持部３７と回転軸２４とアリ２１とは一体に形成されレボルバ本体部を構成する。
【００１４】
２８は対角線にダイクロイックミラー２８ａを保持するダイクロイックミラーブロックであり、上記空間２７に配置される。ダイクロイックミラー２８ａは紫外光を反射し、紫外光より波長の長い蛍光観察用の励起光および蛍光を透過する特性を持つ。すなわち、ケージド試薬開裂用照明装置１０の光源８から光ファイバーケーブル９を経由して導かれた紫外光を、ダイクロイックミラー２８ａで反射させて観察用対物レンズ３を通して観察試料１２に照射する。ダイクロイックミラーブロック２８の下側から導かれる落射蛍光装置６からの励起光は、ダイクロイックミラー２８ａを透過し観察用対物レンズ３を通して観察試料１２に照射される。２９、３０はレンズ、３１は視野絞り、３２は開口絞りであり、これらとダイクロイックミラーブロック２８とでケージド試薬開裂用照明装置１０の光学系７を構成する。この光学系７は筐体３８に収納され、筐体３８はレボルバ本体部と一体に構成され、その右端部に光ファイバケーブル９が接続される。
【００１５】
なお、ダイクロイックミラーブロック２８は、図１の実線で示す光路内位置と破線で示す光路外位置との間を移動できるように、筐体３８内に保持されている。光路内位置とは、対物レンズ３を通る顕微鏡光路中に配置される位置のことであり、光路外位置とは、対物レンズ３を通る顕微鏡光路から外れた位置のことである。このような構成により、ケージド試薬開裂用の紫外光が不要な場合は、ダイクロイックミラーブロック２８を光路外位置に配置させることができるので、落射蛍光装置６からの励起光の光量を減光させることなく観察試料に照射させることができる。
【００１６】
図２において、落射蛍光装置６はレボルバ１の下部にダイクロイックミラー１３を有し、光源１４から発せられる観察試料を蛍光させるための励起光を観察試料１２に向けて反射させる。観察試料１２は励起光を受け蛍光を発し、その蛍光は、対物レンズ３を通過し、図１のダイクロイックミラー２８ａを透過し、図１のダイクロイックミラー１３を透過し、顕微鏡鏡基５に設けられた不図示のミラーを経由して接眼レンズ４に到達し、蛍光観察を可能にしている。
【００１７】
図３は、上述した回転面２５が所定の角度で傾斜することにより空間２７が生じる様子を説明する図である。図３において、レボルバ１の回転部材２２の回転面２５は観察系光軸２６に直交する面３３に対し所定の角度αを有して傾斜している。これにより保持部材２２の対物レンズ３が保持される面の裏面３５と面３３との間に斜線で示す空間２７が生じる。面３３は、保持部材２２の外縁で光軸２６から最も離れた端部３４を通過し光軸２６と直交する面である。裏面３５側には保持部材２２の板厚で占有される部分や回転軸２４などがあり、空間２７とはそれらを除く空間となる。
【００１８】
図１に示すように、ダイクロイックミラーブロック２８は図３でいう面３３を観察系光軸２６に沿った方向にはみ出さないように空間２７に配置されている。レンズ２９、３０や視野絞り３１、開口絞り３２なども、面３３を含む面に対して観察系光軸２６に沿った方向にはみ出さないように配置されている。すなわち、本第１の実施の形態では光学系７全体（アリ２１は含まない）が面３３に対して観察系光軸２６に沿った方向にはみ出さないように構成されている。ただし、本実施の形態では上記のように構成するが、ダイクロイックミラーブロック２８などの光学系７が面３３から観察系光軸２６に沿った方向にはみ出すように配置されるようにしてもよい。少なくとも光学系７の一部が空間２７に配置されていれば、デッドスペースを有効に活用できるからである。
【００１９】
このようにして、レボルバ１の保持部材２２の下方の傾斜部のスペース２７を有効に利用してケージド試薬開裂用照明装置１０の一部２８を備えるようにしたので、レボルバ１の下側に新たにスペースを設ける必要がなく、ステージ１１の高さなどが変化せず、操作性や周辺機器との寸法の互換性を損なわずかつ安価に複数の照明装置を備えた倒立型顕微鏡を実現することができる。
【００２０】
なお、本第１の実施の形態では、レボルバ本体部を顕微鏡本体に取り付ける構造をアリ構造にしているが、特にアリ構造に限定する必要はなく、ネジ構造にしてもよい。またその他の構造でレボルバ１を着脱不可能な固定式にしてもよい。また、レボルバ１の保持部材２２の傾斜部のスペースにケージド試薬開裂用照明装置１０の一部を備えるようにしているが、ケージド試薬開裂用照明装置１０を顕微鏡鏡基側に取り付け落射蛍光装置６の一部をレボルバ１の保持部材２２の傾斜部のスペースに備えるようにしてもよい。
【００２１】
また、光ファイバーケーブル９が筐体３８に着脱可能となっているので、異なる種類の光源および光ファイバーケーブルを筐体３８に接続するだけで、光学系７に導く光の波長を異なる種類のものに簡単に変えることができる。当然、光ファイバーケーブル９を筐体３８に接続したまま、光ファイバーケーブル９に接続する光源８の種類を変えるようにしても良い。また、光学系７は対物レンズ３の光軸２６に対して図３に示す端部３４の逆側に配置されているので、空間２７を有効に利用することができる。
【００２２】
図４は、上述のレボルバを正立型顕微鏡５０に取り付け、正立型顕微鏡５０の全体を側面から見た概略側面図である。各要素の機能は図２の倒立型顕微鏡と同じであるので同一符号をつけその説明を省略する。正立型顕微鏡ではレボルバ１の方向が倒立型顕微鏡と逆向きに取り付けられているが、上記と同様にレボルバ１の上方の傾斜部のスペースが有効に活用され、接眼レンズ４すなわちアイポイントの位置が高くならず、操作性を損なわずかつ安価に複数の照明装置を備えた正立型顕微鏡を実現することができる。
【００２３】
−第２の実施の形態−
図５は、レボルバ１００にレーザーマニピュレーションの光学系を組み込んだ実施の形態の縦断面図を示す図である。図１と同一機能を有する構成要素には同一符号を付けその説明を省略する。１０１はレーザー光束を発振するレーザーダイオードである。レーザー光束はレンズ１０２、レンズ１０３からなるビームエキスパンダーにより対物レンズ３の瞳径に合わせて拡大されダイクロイックミラー１０４ａを保持するダイクロイックミラーブロック１０４に導かれる。ダイクロイックミラーブロック１０４は不図示のガイド機構により対物レンズの光軸２６から挿脱可能に構成されている。ダイクロイックミラーブロック１０４に導かれた光束は、ダイクロイックミラー１０４ａにより対物レンズ３の方向に反射され、対物レンズ３により集光され観察試料１２上で収束する。このレーザー光束の収束点で観察試料上の微小物体を捕捉することができる。レーザー光束により微小物体を捕捉する原理は公知である（例えば特公平５−６１３６）のでその説明を省略する。第２の実施の形態では、レーザー光束はほぼ対物レンズ３の光軸２６上で収束するため、捕捉対象の微小物体は不図示の機構によりステージを移動させることによりその収束点に持っていくようにする。
【００２４】
また第２の実施の形態では、第１の実施の形態の光源８に相当するレーザーダイオード１０１はレボルバ本体部と一体に形成された筐体１０５に収納されている。すなわち、レーザーマニピュレーションの光学系全体が筐体１０５に収納されレボルバ１００に一体に構成されている。
【００２５】
以上により第１の実施の形態と同様の効果を奏するとともに、本第２の実施の形態ではレーザーマニピュレーションの光学系全体がレボルバ１００と一体に構成されているので、ワンタッチで容易にレーザーマニピュレーションの光学系やその他の照明装置の交換が可能となる。
【００２６】
−第３の実施の形態−
図６、図７は、レボルバ２００に第２の実施の形態とは異なるレーザーマニピュレーションの光学系を組み込んだ実施の形態を示す図である。図６はレボルバ２００の縦断面図であり、図７は図６のレボルバ２００を図６における上部から矢印Ａの方向に見た平面図である。図５の第２の実施の形態と同一機能を有する構成要素には同一符号を付けその説明を省略する。
【００２７】
図６、図７において、レーザーダイオード２０１から発振されるレーザー光束は、レンズ２０２、レンズ２０３によって拡大され、さらにレンズ２０４で収束されて対物レンズ３の瞳と共役な瞳面がガルバノミラー２０５、２０６付近に形成される。ガルバノミラー２０５はガルバノ駆動部２０７（図７）により回転駆動され、ガルバノミラー２０６はガルバノ駆動部２０８（図６）により回転駆動される。これらの回転軸は図７に示すように互いに９０度異なる方向に向けられているため、ガルバノミラー２０５、２０６を回転駆動することにより、観察試料上で収束されるレーザー光束の収束点を観察試料面内を任意に移動させることができる。従って、ガルバノミラー２０５、２０６を駆動することによりレーザー光束の収束点を観察試料上任意に移動させて観察試料の任意の位置の微小物体を捕捉することができ、さらに捕捉された微小物体を自由に移動させることができる。
【００２８】
このようにして、本第３の実施の形態においても第２の実施の形態と同様の効果を奏することができる。
【００２９】
なお、上記ガルバノミラーを使用してレーザー光束の収束点を観察試料面内で自由に移動させるものはコンフォーカル顕微鏡（共焦点顕微鏡、レーザー走査型顕微鏡）にも応用できる。コンフォーカル顕微鏡とは、レーザー光源から発振するレーザー光束を上記と同様にいったんガルバノミラー近辺で収束させ、次にガルバノミラーを駆動して観察対象の試料面でレーザー光束の収束点を走査させることにより顕微鏡観察を行うものである。観察試料上のレーザー光束の収束点においては蛍光が発せられ、走査によりその蛍光状態は順次移動していく。この蛍光状態を検出器で検出し画像処理をしモニタ等に表示することにより、観察試料の蛍光状態を顕微鏡観察することができる。
【００３０】
上記第３の実施の形態と同様に、レボルバの下方の傾斜部の空間にコンフォーカル顕微鏡の共焦点光学系を配置することにより、観察系光軸方向に共焦点光学系のための新たなスペースを必要とせず、上記第２の実施の形態と同様の効果を奏することができる。
【００３１】
−第４の実施の形態−
図８は、オートフォーカス用の焦点検出装置３０１を不図示のセットビス等によりレボルバ３００に取り付けた実施の形態の縦断面図を示す図である。焦点検出装置３０１のレボルバに対する取り付け場所は、先の第１〜第３の実施の形態と同様の位置である。また、図１と同一機能を有する構成要素には同一の符号を付けその説明を省略する。
【００３２】
焦点検出装置３０１内には、測定用光源、光路の半分を遮光する遮光板、ハーフミラー、二分割センサ等が配置されている。詳細な構成は、例えば米国特許第３７２１８２７号で開示されているため、ここでは説明を省略する。
【００３３】
焦点検出装置３０１から射出される測定用光は、ダイクロイックミラーブロック３０２に保持されたダイクロイックミラー３０２ａによって反射され、対物レンズ３を介して試料に照射される。試料で反射した測定用光は、再び対物レンズ３、ダイクロイックミラー３０２ａを介して焦点検出装置３０１内の二分割センサによって検出される。この二分割センサからの信号は顕微鏡の主制御系（不図示）に出力され、オートフォーカス用の信号として用いられる。焦点検出装置３０１の筐体３０３はレボルバ３００の筐体３０４に不図示のセットビス等により取り付けられ一体に構成されている。
【００３４】
以上の構成により、上述の第１〜第３の実施の形態の効果と同様に、レボルバ３００の傾斜部のスペースを有効に活用してオートフォーカス用の焦点検出装置３０１を備えることができる。また、焦点検出装置３０１の代わりに、結像光学系とＣＣＤカメラとを備えた撮像装置や、測光装置等、試料からの光の一部を検出する装置を取り付けるようにしても、上述と同様の効果を得ることができる。この時、図８に示すダイクロイックミラー３０２ａは、所定の光量比で光を分割する素子（例えばハーフミラー）にしておく必要がある。
【００３５】
上記第１の実施の形態〜第４の実施の形態において、各種の照明装置や光学系装置をレボルバ下方の傾斜部に配置することを説明したが、照明装置や光学系装置は上記の種類に限定する必要はない。顕微鏡観察に使用されるその他の照明装置あるいは光学系装置全般において本発明を適用することができる。
【００３６】
【発明の効果】
本発明は、以上説明したように構成しているので、顕微鏡用レボルバのデッドスペースが有効に活用される。また、所定の空間で光学装置の一部の光学系が観察光路内の位置と光路外の位置との間で移動できるので、例えば、その光学装置の使用が不要な場合、他の照明装置からの光量を減光させることなく観察試料に照射させることができる。
【図面の簡単な説明】
【図１】本発明に係る顕微鏡用レボルバの縦断面図
【図２】図１の顕微鏡用レボルバを倒立型顕微鏡に取り付け、倒立型顕微鏡の全体を側面から見た概略側面図
【図３】回転面が所定の角度で傾斜することにより空間が生じる様子を説明する図
【図４】顕微鏡用レボルバを正立型顕微鏡に取り付け、正立型顕微鏡の全体を側面から見た概略側面図
【図５】レーザーマニピュレーションの光学系を組み込んだ顕微鏡用レボルバの縦断面図を示す図
【図６】他のレーザーマニピュレーションの光学系を組み込んだ顕微鏡用レボルバの縦断面図を示す図
【図７】図６の顕微鏡用レボルバを上部から矢印Ａの方向に見た平面図
【図８】焦点検出装置を組み込んだ顕微鏡用レボルバの縦断面図を示す図
【符号の説明】
１、１００、２００、３００  顕微鏡用レボルバ
２  倒立型顕微鏡
３  対物レンズ
４  接眼レンズ
５  顕微鏡鏡基
６  落射蛍光装置
７  ケージド試薬開裂用照明装置の光学系
８、１４  光源
９  光ファイバーケーブル
１０  ケージド試薬開裂用照明装置
１１  ステージ
１２  観察試料
２１  アリ
２２  対物レンズ保持部材
２３  穴
２４  回転軸
２５  回転面
２６  観察系光軸
２７  空間
２８、１０４、３０２  ダイクロイックミラーブロック
２８ａ、１０４ａ、３０２ａ、１３  ダイクロイックミラー
２９、３０、１０２、１０３、２０２〜２０４  レンズ
３１  視野絞り
３２  開口絞り
３３  面
３４、３６  端部
３５  裏面
３７  支持部
３８、１０５、３０３、３０４  筐体
５０  正立型顕微鏡
１０１、２０１  レーザーダイオード
２０５、２０６  ガルバノミラー
２０７、２０８  ガルバノ駆動部
【図１】
0003861357.tif 000002
【図２】
0003861357.tif 000003
【図３】
0003861357.tif 000004
【図４】
0003861357.tif 000005
【図５】
0003861357.tif 000006
【図６】
0003861357.tif 000007
【図７】
0003861357.tif 000008
【図８】
0003861357.tif 000009